(57)【要約】【課題】  搬送用台車を反転させる作業を行うことなく、取っ手の挿入位置を変更するだけで搬送方向を逆転させることができる、使い勝手の良い搬送用台車を提供する。【解決手段】  パチンコ玉や遊技用メダルが収納された容器７を搬送するための搬送用台車１であって、搬送用台車１を手押して搬送するためのＵ字形状の取っ手４を備える搬送用台車１は、搬送用台車１の長手方向の両端部２ａＬ，２ａＲにそれぞれ２つの取っ手差し込み穴３を設け、取っ手４の２つの挿入端部を両端部２ａＬ，２ａＲの何れか一方の２つの取っ手差し込み穴３に挿入固定するように構成されており、かつ、両端部２ａＬ，２ａＲの何れか一方には複数桁の任意の遊技台番号を設定して表示し得る番号表示部が設けられている。【選択図】図１
0003117349.tif 000002
【実用新案登録請求の範囲】
【請求項１】
パチンコ玉や遊技用メダルが収納された容器を搬送するための搬送用台車であって、該搬送用台車を手押して搬送するためのＵ字形状の取っ手を備える搬送用台車において、
前記搬送用台車の長手方向の両端部にそれぞれ２つの取っ手差し込み穴を設け、前記取っ手の２つの挿入端部を前記両端部の何れか一方の２つの取っ手差し込み穴に挿入固定するようにしたことを特徴とする搬送用台車。
【請求項２】
前記搬送用台車の長手方向の両端部の一方に、複数桁の任意の遊技台番号を設定して表示し得る番号表示部を設けたことを特徴とする請求項１記載の搬送用台車。
【請求項３】
前記搬送用台車を半透明部材で構成し、該搬送用台車の内部に発光部材を設けることにより、前記搬送用台車の側面で発光表示するようにしたことを特徴とする請求項１または２記載の搬送用台車。
【考案の詳細な説明】
【技術分野】
【０００１】
本考案は、パチンコ玉や遊技用メダルが収納された容器を搬送するための搬送用台車であって、該搬送用台車を手押して搬送するためのＵ字形状の取っ手を備える搬送用台車に関するものである。
【背景技術】
【０００２】
パチンコ玉や遊技用メダルが収納された容器を搬送するための搬送用台車の従来例としては、盤状体と、盤状体の下面に付けた転車と、盤状体に設けたハンドル差立て用孔に抜去自在として差込み立てたハンドルとからなる搬送用台車（例えば特許文献１参照、以下従来技術１という）や、台車本体と、台車本体に形成された支持穴に緩く挿入される挿入部をもつ取っ手等から成る搬送用台車（例えば特許文献２参照、以下従来技術２という）がある。
【０００３】
【特許文献１】特開平９−３２３６５４号公報
【特許文献２】登録実用新案第３０２６０３７号公報
【考案の開示】
【考案が解決しようとする課題】
【０００４】
上記従来技術１および上記従来技術２の搬送用台車は、台車本体に対して取っ手が着脱可能になるように構成されているが、取っ手差し込み穴が台車本体の長手方向の一方の端部のみに設けられているため、台車本体に対する取っ手の挿入位置は固定されており、変更することができない。そのため、例えばパチンコ台の近傍で搬送用台車にパチンコ玉が収納された容器を載せて、その搬送用台車を手押しして当該パチンコ台が収納されている島の両端のどちらか一方のみに設置されているパチンコ玉係数装置まで運ぶ際に、搬送用台車の搬送方向の前側に取っ手が配置されている場合には、島と島との間の狭い通路内で搬送用台車を反転させて搬送用台車の搬送方向の後側に取っ手が配置されるようにしてから運ばなければならず、面倒である。また、周囲の椅子や他のパチンコ玉が収納された容器等にぶつからないように注意しながら、搬送用台車を反転させる作業を狭い通路内で行う必要があるため、不便である。
【０００５】
本考案は、搬送用台車を反転させる作業を行うことなく、取っ手の挿入位置を変更するだけで搬送方向を逆転させることができる、使い勝手の良い搬送用台車を提供することを目的とする。
【課題を解決するための手段】
【０００６】
上記目的を達成するため、請求項１に記載の第１考案は、パチンコ玉や遊技用メダルが収納された容器を搬送するための搬送用台車であって、該搬送用台車を手押して搬送するためのＵ字形状の取っ手を備える搬送用台車において、前記搬送用台車の長手方向の両端部にそれぞれ２つの取っ手差し込み穴を設け、前記取っ手の２つの挿入端部を前記両端部の何れか一方の２つの取っ手差し込み穴に挿入固定するようにしたことを特徴とする。
【０００７】
請求項２に記載の第２考案は、前記搬送用台車の長手方向の両端部の一方に、複数桁の任意の遊技台番号を設定して表示し得る番号表示部を設けたことを特徴とする。
【０００８】
請求項３に記載の第３考案は、前記搬送用台車を半透明部材で構成し、該搬送用台車の内部に発光部材を設けることにより、前記搬送用台車の側面で発光表示するようにしたことを特徴とする。
【考案の効果】
【０００９】
第１考案によれば、パチンコ玉や遊技用メダルが収納された容器を搬送するための搬送用台車であって、該搬送用台車を手押して搬送するためのＵ字形状の取っ手を備える搬送用台車の、前記搬送用台車の長手方向の両端部にはそれぞれ２つの取っ手差し込み穴が設けられており、前記取っ手の２つの挿入端部を前記両端部の何れか一方の２つの取っ手差し込み穴に挿入固定するように構成されているため、上記従来技術１および上記従来技術２の搬送用台車では搬送用台車の反転が必要になる状況になった場合には、前記搬送用台車の長手方向の両端部の一方に設けられた２つの取っ手差し込み穴に挿入した取っ手を外して、前記搬送用台車の長手方向の両端部の他方に設けられた２つの取っ手差し込み穴に挿入するだけで、搬送用台車を反転させる作業を行うことなく、搬送用台車の搬送方向を逆転させることができる。したがって、使い勝手の良い搬送用台車を提供することができる。
【００１０】
第２考案によれば、前記搬送用台車の長手方向の両端部の一方に、複数桁の任意の遊技台番号を設定して表示し得る番号表示部を設けたから、例えば遊技者が自分のパチンコ台の遊技台番号を設定することにより、当該搬送用台車の番号表示部には他の搬送用台車と識別し得る当該遊技台番号が表示されることになるから、他の搬送用台車と間違えられることを防止することができる。
【００１１】
第３考案によれば、前記搬送用台車を半透明部材で構成し、該搬送用台車の内部に発光部材を設けることにより、前記搬送用台車の側面で発光表示するようにしたから、パチンコ玉等を獲得した遊技者に豪華な感じを抱かせるような演出を行うことができる。
【考案を実施するための最良の形態】
【００１２】
以下、本考案を実施するための最良の形態を図面に基づき詳細に説明する。
【００１３】
図１（ａ）は本考案の第１実施形態の搬送用台車の構成を例示する斜視図であり、図１（ｂ）は第１実施形態の搬送用台車の番号表示部の詳細図である。図１（ａ）に示す第１実施形態の搬送用台車１は、パチンコ玉や遊技用メダルが収納された容器を搬送するための搬送用台車であり、台車本体２と、台車本体２の長手方向の両端部２ａＬ，２ａＲにそれぞれ２つずつ設けられた差し込み穴３の何れか一方（図示例では端部２ａＲ）の２つの取っ手差し込み穴３に挿入固定されるＵ字形状の取っ手４と、台車本体２の長手方向の両端部２ａＬ，２ａＲの何れか一方（図示例では端部２ａＬ）のほぼ中央部に設けられた番号表示部５と、台車本体２の下面に回転自在に取り付けられた複数の車輪６と、表示部が外側を向くように台車本体２の側面の内部に所定間隔で設けられた複数の発光部材（ランプやＬＥＤ等、図示せず）と、上記発光部材を動作させるためのスイッチ（図示せず）等を具備して成る。
【００１４】
上記台車本体２は、パチンコ玉や遊技用メダルが収納された容器７を載せやすくするために、長手方向の両端部２ａＬ，２ａＲに対して中間部が低くなっており、台車本体２の長手方向の両端部２ａＬ，２ａＲは、搬送時に容器７が搬送方向（搬送用台車１の長手方向）に移動しようとする際に容器７のストッパとして機能する。また、上記台車本体２は、上記発光部材の動作により側面で発光表示（連続発光表示や断続発光表示）を行うようにするために、プラスチック等の半透明部材によって構成されている。
【００１５】
上記番号表示部５は、複数桁（図示例の場合、３桁）の任意の遊技台番号を設定して表示し得るように構成されており、例えば図１（ｂ）に示すように、外周部に０〜９の数字が配置された３個のロータリスイッチによって構成されている。なお、上記番号表示部５の複数桁は３桁に限定されるものではなく、当該遊技場の規模に応じて２桁や４桁にしてもよい。
【００１６】
次に、本実施形態の搬送用台車の作用を、遊技場がパチンコホールである場合を例に挙げて説明する。
一般的に、パチンコホールでは、複数の並列設置されている島の両端のどちらか一方のみ（例えば景品カウンタに近い方）にパチンコ玉係数装置が設置されており、また、パチンコ玉が収納された容器７を搬送するための搬送用台車１の台車置場は、回収の手間を考えてパチンコ玉係数装置の近傍に設けられている場合が多い。
【００１７】
このようなパチンコホールにおいて、例えば「大当たり」により大量のパチンコ玉を獲得した遊技者は、まず、台車置場に行って搬送用台車を自分の席まで手押しして戻る。その際、取っ手４は、搬送用台車１の搬送方向の後側に配置されている。次に、遊技者は、自分のパチンコ台の近傍で搬送用台車１にパチンコ玉が収納された容器７を載せる。そして、遊技が終了してパチンコ玉を景品と交換するために搬送用台車１をパチンコ玉係数装置まで運ぶ際には、搬送用台車１の搬送方向の後側（例えば端部２ａＬ側とする）に配置されている取っ手４を外して、搬送方向の前側（この場合、端部２ａＲ側となる）の２つの取っ手差し込み穴３に挿入固定する。このとき、自分のパチンコ台の近傍からパチンコ玉係数装置に向かう搬送経路上では、取っ手４は搬送用台車１の搬送方向の後側に配置されることになるので、取っ手４の挿入位置を変更するだけで、搬送用台車１を反転させる作業を行うことなく、搬送用台車１の搬送方向を逆転させることができる。
【００１８】
したがって、本実施形態の搬送用台車によれば、搬送用台車１をパチンコ玉係数装置まで運ぶ際に、周囲の椅子や他のパチンコ玉が収納された容器等にぶつからないように注意しながら搬送用台車１を反転させる作業を島と島との間の狭い通路内で行う必要がないため、搬送用台車の使い勝手が格段に向上する。
【００１９】
また、本実施形態の搬送用台車によれば、搬送用台車１の長手方向の両端部の一方に、複数桁の任意の遊技台番号を設定して表示し得る番号表示部５を設けたから、例えば遊技者がこの番号表示部５に自分のパチンコ台の遊技台番号を設定することにより、当該搬送用台車の番号表示部５には他の搬送用台車と識別し得る当該遊技台番号が表示されることになるから、他の搬送用台車と間違えられることが防止されることになる。
【００２０】
さらに、本実施形態の搬送用台車によれば、搬送用台車１をプラスチック等の半透明部材で構成し、搬送用台車１の内部に発光部材を設けることにより、搬送用台車１の側面で発光表示するようにしたから、パチンコ玉等を獲得した遊技者に豪華な感じを抱かせるような演出を行うことができるようになる。
【図面の簡単な説明】
【００２１】
【図１】（ａ）は本考案の第１実施形態の搬送用台車の構成を例示する斜視図であり、（ｂ）は第１実施形態の搬送用台車の番号表示部の詳細図である。
【符号の説明】
【００２２】
１  搬送用台車
２  台車本体
２ａＬ  台車本体の端部
２ａＲ  台車本体の端部
３  取っ手差し込み穴
４  取っ手
５  番号表示部
６  車輪
７  パチンコ玉や遊技用メダルが収納された容器
【図１】
0003117349.tif 000003